(57)【特許請求の範囲】
【請求項１】
楽器ケースに回転可能に取り付けられて鍵盤部を開閉自在に覆う鍵盤蓋の開閉動作と共に回転するアーム部材と、
前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、
前記鍵盤蓋が前記鍵盤部を覆って閉じる際に、前記鍵盤蓋の前部が前記鍵盤部の前部側に移動した時点から前記アーム部材に負荷を付与して前記鍵盤蓋の閉動作を制動する第２制動部材と
を備え、
前記第２制動部材は、前記アーム部材に設けられた突起部と、前記突起部の移動軌跡に対応する箇所に位置する前記楽器ケースに設けられ前記鍵盤蓋の開状態側から前記鍵盤蓋の閉状態側に向かうに従って前記突起部に対する接触圧が次第に高くなる傾斜部とを有する、鍵盤蓋の開閉装置。
【請求項２】
請求項１に記載の鍵盤蓋の開閉装置において、前記第１制動部材は、前記鍵盤蓋を開く際に前記鍵盤蓋の後部が前記鍵盤部の後方に移動した時点から、前記鍵盤蓋を閉じる方向に向けて前記アーム部材を付勢するばね部材である鍵盤蓋の開閉装置。
【請求項３】
楽器ケースに回転可能に取り付けられて鍵盤部を開閉自在に覆う鍵盤蓋の開閉動作と共に回転するアーム部材と、
前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、
前記鍵盤蓋が前記鍵盤部を覆って閉じる際に、前記鍵盤蓋の前部が前記鍵盤部の前部側に移動した時点から前記アーム部材の回転速度を減速させて前記鍵盤蓋の閉動作を制動する第２制動部材と
を備え、
前記第２制動部材は、前記アーム部材に設けられた弾性突起部と、この弾性突起部の移動軌跡に対応する箇所に位置する前記楽器ケースに設けられて前記弾性突起部が弾力的に順次乗り越える複数の制動突起部とを有する鍵盤蓋の開閉装置。
【請求項４】
楽器ケースに回転可能に取り付けられて鍵盤部を開閉自在に覆う鍵盤蓋の開閉動作と共に回転するアーム部材と、
前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、
前記鍵盤蓋が前記鍵盤部を覆って閉じる際に、前記鍵盤蓋の前部が前記鍵盤部の前部側に移動した時点から前記アーム部材に負荷を付与して前記鍵盤蓋の閉動作を制動する第２制動部材と
を備え、
前記第２制動部材は、前記鍵盤蓋の前部が前記鍵盤部の前部側に移動した状態のときに、前記鍵盤蓋を開く方向に向けて前記アーム部材を弾力的に付勢する弾性部材である鍵盤蓋の開閉装置。
【請求項５】
請求項１〜請求項４のいずれかに記載の鍵盤蓋の開閉装置において、前記鍵盤蓋は、複数の蓋部が折れ曲がり可能に連結され、前記鍵盤部を覆って閉じた状態のときに前記複数の蓋部が平板状に配列され、前記鍵盤部の上方を移動して開く際に前記複数の蓋部が折れ曲がりながら前記楽器ケース内に収納される鍵盤蓋の開閉装置。
【請求項６】
請求項１〜請求項５のいずれかに記載の鍵盤蓋の開閉装置において、前記鍵盤蓋と前記アーム部材とを回転自在に連結する連結軸と、前記楽器ケースに設けられて前記鍵盤蓋の開閉動作に応じて前記連結軸をガイドするガイドレール部とを備えた鍵盤蓋の開閉装置。
【請求項７】
請求項６に記載の鍵盤蓋の開閉装置において、前記連結軸に回転自在に取り付けられたピニオンギアと、前記ガイドレール部に設けられて前記ピニオンギアが噛み合って回転移動するラックギアとを備えた鍵盤蓋の開閉装置。
【請求項８】
鍵盤部と、
楽器ケースと、
前記楽器ケースに回転可能に取り付けられた鍵盤蓋と、
請求項１〜請求項７のいずれかに記載の鍵盤蓋の開閉装置と、
を備えた鍵盤楽器。
【発明の詳細な説明】
【技術分野】
【０００１】
この発明は、ピアノやオルガンなどの鍵盤楽器に用いられる鍵盤蓋の開閉装置及び鍵盤楽器に関する。
【背景技術】
【０００２】
例えば、ピアノなどの鍵盤楽器においては、特許文献１に記載されているように、楽器ケース内に設けられた鍵盤部を鍵盤蓋で開閉可能に覆うように構成されたものが知られている。このような鍵盤蓋の開閉装置は、鍵盤蓋に取り付けられたアーム部材を楽器ケースに設けられた支持軸に回転可能に取り付け、鍵盤蓋を開閉操作すると、鍵盤蓋の開閉動作に連動してアーム部材が支持軸を中心に回転するように構成されている。
【先行技術文献】
【特許文献】
【０００３】
【特許文献１】特開２０１１−１３２５０号公報
【０００４】
この種の鍵盤蓋の開閉装置は、鍵盤蓋を安全に開閉するために、アーム部材に対して常に一定の負荷を与えて鍵盤蓋の開閉動作を制動する第１ダンパ部材と、鍵盤蓋の閉動作に応じてアーム部材に負荷を与えて鍵盤蓋の閉動作を制動する一方、鍵盤蓋の開動作に応じてアーム部材に負荷を与えて鍵盤蓋の開動作を制動する第２ダンパ部材とを備えている。
【発明の概要】
【発明が解決しようとする課題】
【０００５】
このような鍵盤蓋の開閉装置では、第１ダンパ部材によってアーム部材に対して常に一定の負荷を与えて鍵盤蓋の開閉動作を制動した状態で、第２ダンパ部材によって鍵盤蓋の閉動作に応じてアーム部材に更に負荷を与えて鍵盤蓋の閉動作を制動する一方、鍵盤蓋の開動作に応じてアーム部材に更に負荷を与えて鍵盤蓋の開動作を制動している。
【０００６】
しかしながら、このような鍵盤蓋の開閉装置では、第１ダンパ部材と第２ダンパ部材とによってアーム部材に負荷を与えているので、鍵盤蓋の開閉動作が重くなり、鍵盤蓋を良好に開閉することができないばかりか、第２ダンパ部材によって鍵盤蓋が開く際、および閉じる際に、それぞれ逆向きの負荷をアーム部材に付与しなければならないため、第２ダンパ部材の構造が複雑で、部品点数が多く、その製作が煩雑で、製作コストが高くなるなどの問題がある。
【０００７】
この発明が解決しようとする課題は、簡単な構造で、低価格を図り、且つ鍵盤蓋を安全に且つ良好に開閉することができる鍵盤蓋の開閉装置及び鍵盤楽器を提供することである。
【課題を解決するための手段】
【０００８】
この発明は、楽器ケースに回転可能に取り付けられて鍵盤部を開閉自在に覆う鍵盤蓋の開閉動作と共に回転するアーム部材と、前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、前記鍵盤蓋が前記鍵盤部を覆って閉じる際に、前記鍵盤蓋の前部が前記鍵盤部の前部側に移動した時点から前記アーム部材に負荷を付与して前記鍵盤蓋の閉動作を制動する第２制動部材とを備え、前記第２制動部材は、前記アーム部材に設けられた突起部と、前記突起部の移動軌跡に対応する箇所に位置する前記楽器ケースに設けられ前記鍵盤蓋の開状態側から前記鍵盤蓋の閉状態側に向かうに従って前記突起部に対する接触圧が次第に高くなる傾斜部とを有する、鍵盤蓋の開閉装置である。
また、この発明は、楽器ケースに回転可能に取り付けられて鍵盤部を開閉自在に覆う鍵盤蓋の開閉動作と共に回転するアーム部材と、前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、前記鍵盤蓋が前記鍵盤部を覆って閉じる際に、前記鍵盤蓋の前部が前記鍵盤部の前部側に移動した時点から前記アーム部材の回転速度を減速させて前記鍵盤蓋の閉動作を制動する第２制動部材とを備え、前記第２制動部材は、前記アーム部材に設けられた弾性突起部と、この弾性突起部の移動軌跡に対応する箇所に位置する前記楽器ケースに設けられて前記弾性突起部が弾力的に順次乗り越える複数の制動突起部とを有する鍵盤蓋の開閉装置である。
さらにこの発明は、楽器ケースに回転可能に取り付けられて鍵盤部を開閉自在に覆う鍵盤蓋の開閉動作と共に回転するアーム部材と、前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、前記鍵盤蓋が前記鍵盤部を覆って閉じる際に、前記鍵盤蓋の前部が前記鍵盤部の前部側に移動した時点から前記アーム部材に負荷を付与して前記鍵盤蓋の閉動作を制動する第２制動部材とを備え、前記第２制動部材は、前記鍵盤蓋の前部が前記鍵盤部の前部側に移動した状態のときに、前記鍵盤蓋を開く方向に向けて前記アーム部材を弾力的に付勢する弾性部材である鍵盤蓋の開閉装置である。
【発明の効果】
【０００９】
この発明によれば、鍵盤蓋を開いて鍵盤部を露出させる際に、第１制動部材によってアーム部材に負荷を付与して鍵盤蓋を確実に且つ良好に制動することができ、また鍵盤蓋が鍵盤部を覆って閉じる際に、第２制動部材によってアーム部材に負荷を付与して鍵盤蓋を確実に且つ良好に制動することができる。このため、鍵盤蓋を開く際、および鍵盤蓋を閉じる際に、それぞれ個別の制動部材によって鍵盤蓋を確実に且つ最適に制動することができる。これにより、第１、第２の各制動部材の構造が簡単で、装置全体の低価格を図ることができると共に、鍵盤蓋を安全に且つ良好に開閉することができる。
【図面の簡単な説明】
【００１０】
【図１】この発明を鍵盤楽器に適用した第１実施形態において、鍵盤蓋を閉じて鍵盤部を覆った状態を示した要部の断面図である。
【図２】図１に示された鍵盤楽器において鍵盤蓋を開いて楽器ケース内に収納して鍵盤部を露出させた状態を示した要部の断面図である。
【図３】図１に示された鍵盤楽器において鍵盤蓋を途中まで開いた状態を示した要部の断面図である。
【図４】図３に示された鍵盤楽器において鍵盤蓋の開閉装置を示した要部の拡大正面図である。
【図５】図４に示された鍵盤楽器において鍵盤蓋を開いて楽器ケース内に収納した状態を示した要部の拡大正面図である。
【図６】図４に示された鍵盤蓋の開閉装置を示した要部の拡大平面図である。
【図７】図４に示された鍵盤蓋の開閉装置のＡ−Ａ矢視における要部の拡大断面図である。
【図８】図７に示された鍵盤蓋の開閉装置において、鍵盤蓋が閉じて弾性突起部が傾斜溝部に最も強く弾接した状態を示した要部の拡大断面図である。
【図９】図４に示されたアーム部材を示し、（ａ）はその拡大平面図、（ｂ）はその拡大正面図、（ｃ）はその拡大左側面図、（ｄ）はその拡大右側面図である。
【図１０】この発明を鍵盤楽器に適用した第２実施形態において、鍵盤蓋の開閉装置を示した要部の拡大正面図である。
【図１１】図１０に示された鍵盤蓋の開閉装置のＢ−Ｂ矢視における要部の拡大断面図である。
【図１２】図１１に示された鍵盤蓋の開閉装置において、鍵盤蓋が閉じる際に弾性突起部が複数の制動突起部を順次乗り越える状態を示した要部の拡大断面図である。
【図１３】この発明の第１、第２の各実施形態における弾性突起部の変形例を示した要部の拡大平面図である。
【図１４】この発明を鍵盤楽器に適用した第３実施形態において、鍵盤蓋の開閉装置を示した要部の拡大正面図である。
【図１５】図１４に示された鍵盤蓋の開閉装置を示した要部の拡大平面図である。
【図１６】この発明を鍵盤楽器に適用した第４実施形態において、鍵盤蓋の開閉装置を示した要部の拡大正面図である。
【図１７】図１６に示された鍵盤蓋の開閉装置を示した要部の拡大平面図である。
【発明を実施するための形態】
【００１１】
（第１実施形態）
以下、図１〜図９を参照して、この発明を鍵盤楽器に適用した第１実施形態について説明する。
この鍵盤楽器は、図１〜図３に示すように、楽器ケース１を備えている。この楽器ケース１は、脚部を兼ねる一対の側板２と、この一対の側板２間における上部側に位置する箇所に設けられた棚板である底板３と、この底板３の前端部（図１では左端部）上に設けられた前板４と、底板３の後端部（図１では右端部）に設けられた後板５と、この後板５の上部および一対の側板２における後部側の上部に亘って設けられた天板６とを備えている。
【００１２】
これにより、楽器ケース１は、図１〜図３に示すように、天板６の前側（図１では左側）が開放されたほぼ箱形状に形成されている。この楽器ケース１の内部には、鍵盤部７が上方に露出する状態で設けられている。この鍵盤部７は、白鍵７ａおよび黒鍵７ｂを備え、これら白鍵７ａおよび黒鍵７ｂが、底板３上に設けられた鍵盤シャーシ（図示せず）上に上下方向に回転可能に取り付けられた状態で、多数配列された構成になっている。
【００１３】
また、この楽器ケース１の上部には、図１〜図３に示すように、鍵盤部７を覆う鍵盤蓋８が開閉装置１０によって開閉可能に設けられている。この鍵盤蓋８は、前蓋８ａと後蓋８ｂとを備え、この前蓋８ａと後蓋８ｂとを蝶番９によって折り曲げ可能に連結した構成になっている。また、この鍵盤蓋８は、図１に示すように、鍵盤部７の上方に配置されて鍵盤部７を覆って閉じた状態のときに、前蓋８ａと後蓋８ｂとが前下がり（図１では左下がり）に傾斜した状態で平板状に配列されるように構成されている。
【００１４】
また、この鍵盤蓋８は、図３に示すように、前蓋８ａと後蓋８ｂとが鍵盤部７の上方を移動して開く際に、後蓋８ｂが蝶番９を中心に回転して折れ曲がりながら天板６の下側に移動するように構成されている。さらに、この鍵盤蓋８は、図２に示すように、前蓋８ａと後蓋８ｂとが楽器ケース１の後部内に移動して鍵盤部７を開放した際に、前蓋８ａが天板６の下側にほぼ平行な状態で位置し、後蓋８ｂが蝶番９を中心に前蓋８ａに対しほぼ直角に折れ曲がって後板５の内面に接近して起立した状態で楽器ケース１内に収納されるように構成されている。
【００１５】
この場合、前蓋８ａの前端部には、図１〜図５に示すように、取手部１１が取り付けられている。この取手部１１の下端部には、楽器ケース１の側板２の内面に設けられたガイド溝部１２に沿ってガイドされるガイド軸部１３が、両側の側板２に向けて突出して設けられている。ガイド溝部１２は、図１〜図５に示すように、鍵盤部７の前側から立ち上がり、鍵盤部７の上側に沿って斜め上方に向けて傾斜した状態で後方に延び、この後方に延びた部分が天板６の前端部の下側に位置するように、楽器ケース１の側板２の内面に設けられている。
【００１６】
また、この楽器ケース１の側板２の内面には、図１〜図５に示すように、鍵盤蓋８を支持するガイド支持部１５が設けられている。このガイド支持部１５は、ガイド溝部１２の後部側に位置する箇所の上側に設けられている。これにより、このガイド支持部１５は、図１に示すように、鍵盤蓋８が鍵盤部７を覆って閉じた際に、後蓋８ｂを支持して前蓋８ａと後蓋８ｂとを前下がり（図１では左下がり）に傾斜させた状態で平板状に支持するように構成されている。また、このガイド支持部１５は、図３および図４に示すように、鍵盤蓋８が途中まで開いた際に、前蓋８ａと後蓋８ｂとが蝶番９で折れ曲がるように、蝶番９に対応する箇所を支持するように構成されている。
【００１７】
ところで、鍵盤蓋を開閉させるための開閉装置１０は、図４〜図６に示すように、楽器ケース１の側板２に回転可能に取り付けられて鍵盤蓋８の開閉動作と共に回転するアーム部材１６と、鍵盤蓋８を開いて鍵盤部７を露出させる際に、鍵盤蓋８の後蓋８ｂの後部が鍵盤部７の後方に移動した時点からアーム部材１６に負荷を付与して鍵盤蓋８の開動作を制動する第１制動部材１７と、鍵盤蓋８が鍵盤部７を覆って閉じる際に、鍵盤蓋８の前蓋８ａの前部が鍵盤部７の前部側に移動した時点からアーム部材１６に負荷を付与して鍵盤蓋８の閉動作を制動する第２制動部材１８とを備えている。
【００１８】
アーム部材１６は、図４〜図６に示すように、一端部が楽器ケース１の側板２に設けられた支持軸２０に回転自在に取り付けられ、他端部に連結軸２１が押え板２０ａによって回転可能に取り付けられた構成になっている。この場合、アーム部材１６は、図９（ａ）〜図９（ｄ）に示すように、帯状の金属板をその長手方向に沿って断面コ字形状に折り曲げると共に、先端部に軸取付溝部１６ａを設けた構成になっている。また、支持軸２０は、カバー部材１９によって覆われている。
【００１９】
このカバー部材１９は、図４および図５に示すように、金属板を断面コ字形状に折り曲げた構成で、楽器ケース１の側板２に取付ビス１９ａによって取り付けられている。連結軸２１は、アーム部材１６の他端部に取り付けられた状態で、鍵盤蓋８の後蓋８ｂの後部に取り付けられた取付板１４に回転可能に取り付けられている。これにより、アーム部材１６は、図１〜図３に示すように、連結軸２１によって鍵盤蓋８の後蓋８ａに回転可能な状態で連結されていることにより、鍵盤蓋８の開閉動作に伴って支持軸２０を中心に回転するように構成されている。
【００２０】
このため、このアーム部材１６は、図１に示すように、鍵盤蓋８が鍵盤部７を覆って閉じる際に、支持軸２０を中心に反時計回りに回転してほぼ垂直に起立し、また鍵盤蓋８が開く際に、図３に示すように、支持軸２０を中心に時計回りに回転しながら徐々に後方（図３では右側）に向けて傾き、さらに鍵盤蓋８が開いて楽器ケース１内に収納された際に、図２に示すように、支持軸２０を中心に時計回りに回転して、後部下がり（図２では右下がり）に傾くように構成されている。
【００２１】
この場合、楽器ケース１の側板２には、図４〜図６に示すように、アーム部材１６の連結軸２１をガイドするガイドレール部２２が設けられている。このガイドレール部２２は、アーム部材１６の支持軸２０を中心とする円弧状に形成され、その上端部が鍵盤部７の後端部の上方で、且つガイド支持部１５の後端部に接近する箇所に位置し、下端部が底板３の後部上側に位置するように構成されている。このガイドレール部２２には、アーム部材１６の連結軸２１の端部２１ａが移動可能に挿入するガイド溝２２ａがガイドレール部２２と同様、支持軸２０を中心とする円弧状に設けられている。
【００２２】
また、このガイドレール部２２には、図４〜図６に示すように、ラックギア２３がガイド溝２２ａに沿って設けられている。また、アーム部材１６と鍵盤蓋８とを連結する連結軸２１には、ラックギア２３に噛み合って回転移動するピニオンギア２４が回転自在に取り付けられている。これにより、アーム部材１６は、鍵盤蓋８の開閉動作に連動して支持軸２０を中心に回転する際に、ピニオンギア２４がラックギア２３に噛み合って回転移動することにより、鍵盤蓋８をガイドしながら開閉させるように構成されている。
【００２３】
一方、開閉装置１０の第１制動部材１７は、図４〜図６に示すように、鍵盤蓋８を開く際に鍵盤蓋８の後蓋８ｂの後部が鍵盤部７の後方に移動した時点から、鍵盤蓋８を閉じる方向に向けてアーム部材１６を付勢する捻じりコイルばねである。すなわち、この第１制動部材１７は、捻じりコイルばねのコイル部１７ａがアーム部材１６の支持軸２０に巻き付けられ、このコイル部１７ａの一端部１７ｂがアーム部材１６に弾接し、他端部１７ｃがカバー部材１９における下側の取付ビス１９ａに当接して固定されるように構成されている。
【００２４】
これにより、第１制動部材１７は、図３および図４に示すように、鍵盤蓋８を開いて鍵盤部７を露出させる際に、鍵盤蓋８の後蓋８ｂの後部が鍵盤部７の後方に移動した時点、つまりアーム部材１６がほぼ半分程度回転して中間部付近に位置した時点から、捻じりコイルばねのコイル部１７ａの一端部１７ｂがアーム部材１６に弾接して押されることにより、アーム部材１６にコイル部１７ａのばね力による負荷を付与して、鍵盤蓋８の開動作に対する制動を開始するように構成されている。
【００２５】
また、この第１制動部材１７は、鍵盤蓋８が更に開いてアーム部材１６が更に時計回りに回転する際に、第１制動部材１７の一端部１７ｂと他端部１７ｃとの開き角度が徐々に狭くなり、これに伴ってコイル部１７ａが徐々に捻じれて圧縮することにより、アーム部材１６に対するばね力の負荷を徐々に増大させるように構成されている。
【００２６】
さらに、この第１制動部材１７は、図２および図５に示すように、鍵盤蓋８の前蓋８ａが天板６の下側に位置し、後蓋８ｂがほぼ垂直に起立した状態で、鍵盤蓋８が楽器ケース１内に収納された際に、コイル部１７ａの一端部１７ｂと他端部１７ｃとの開き角度が最も狭くなり、これに伴ってコイル部１７ａが最も捻じれてアーム部材１６に最も強いばね力の負荷を付与し、鍵盤蓋８を閉じる方向つまり鍵盤蓋８の後蓋８ｂを押し上げる方向にばね力の負荷を付与するように構成されている。
【００２７】
また、この開閉装置１０の第２制動部材１８は、図４〜図６に示すように、鍵盤蓋８が鍵盤部７を覆って閉じる際に、鍵盤蓋８の前蓋８ａの前部が鍵盤部７の前部側に移動した時点から、アーム部材１６の回転速度を減速させるための抵抗部材である。この第２制動部材１８は、アーム部材１６の長手方向におけるほぼ中間部に設けられたゴムなどの弾性材料からなる弾性突起部２５と、この弾性突起部２５の移動軌跡に対応する箇所における楽器ケース１の側板２の内面に設けられた傾斜溝部２６とを有している。
【００２８】
この場合、傾斜溝部２６は、図４および図５に示すように、アーム部材１６の支持軸２０を中心とする円弧状に形成され、鍵盤蓋８が開いて楽器ケース１内に収納された状態のときに、図７に示すように、アーム部材１６の弾性突起部２５が接触する接触圧が最も低く、鍵盤蓋８が鍵盤部７を覆って閉じた状態のときに、図８に示すように、アーム部材１６の弾性突起部２５が接触する接触圧が最も高くなるように、緩やかに傾斜して形成されている。
【００２９】
すなわち、この傾斜溝部２６は、図２および図５に示すように、鍵盤蓋８が開いてアーム部材１６が最も下側に位置した状態のときに弾性突起部２５が位置する箇所から、図１に示すように、鍵盤蓋８が閉じてアーム部材１６が最も上側に位置した状態のときに弾性突起部２５が位置する箇所までに亘って、半円弧状に形成されている。
【００３０】
また、この傾斜溝部２６は、図１に示すように、鍵盤蓋８が閉じてアーム部材１６が最も上側に位置した状態のときに弾性突起部２５が位置する箇所から、図３および図４に示すように、鍵盤蓋８の前蓋８ａが開いて後蓋８ｂが楽器ケース１内に移動してアーム部材１６がほぼ半分程度回転した中間位置付近状態のときに弾性突起部２５が位置する箇所までの間の領域（図４に点線の斜線で示す領域）が、傾斜面２６ａに形成されている。
【００３１】
この傾斜面２６ａは、図７および図８に示すように、アーム部材１６がほぼ半分程度回転した中間位置付近状態のときに弾性突起部２５の位置する箇所が深く、鍵盤蓋８が閉じてアーム部材１６が最も上側に位置した状態のときに弾性突起部２５の位置する箇所が最も浅くなるように傾斜している。
【００３２】
また、この傾斜溝部２６は、図４および図５に示すように、アーム部材１６がほぼ半分程度回転した中間位置付近状態のときに弾性突起部２５の位置する箇所から、アーム部材１６が最も下側に位置した状態のときに弾性突起部２５の位置する箇所までの領域が、深さの深い平坦面に形成されている。
【００３３】
これにより、第２制動部材１８は、図３に示すように、鍵盤蓋８が鍵盤部７を覆って閉じる際に、鍵盤蓋８の前蓋８ａの前部が鍵盤部７のほぼ中間部の上方に移動した時点、つまりアーム部材１６がほぼ半分程度回転して中間部付近に位置した時点から、弾性突起部２５が傾斜溝部２６の傾斜面２６ａに接触して接触圧が生じることにより、アーム部材１６に摩擦抵抗による負荷を付与して、鍵盤蓋８の閉動作に対する制動を開始するように構成されている。
【００３４】
また、この第２制動部材１８は、鍵盤蓋８が更に閉じる方向に移動してアーム部材１６が更に反時計回りに回転する際に、弾性突起部２５が傾斜溝部２６の傾斜面２６ａに沿って移動することにより、傾斜面２６ａに対する弾性突起部２５の接触圧が徐々に高くなり、これにより摩擦抵抗が徐々に増大し、この徐々に増大する摩擦抵抗による負荷をアーム部材１６に付与するように構成されている。
【００３５】
さらに、この第２制動部材１８は、図１に示すように、鍵盤蓋８の前蓋８ａが鍵盤部７の前端部に位置して、前蓋８ａと後蓋８ｂとが鍵盤部７を完全に覆った状態のときに、図８に示すように、傾斜面２６ａに対する弾性突起部２５の接触圧が最も高くなり、これにより摩擦抵抗が最も高くなることにより、この最も高い摩擦抵抗による負荷をアーム部材１６に付与するように構成されている。
【００３６】
次に、このような鍵盤蓋８の開閉装置１０の作用について説明する。
鍵盤蓋８が鍵盤部７を覆って閉じた状態から開く際には、鍵盤蓋８の前蓋８ａに設けられた取手部１１を持ち上げて楽器ケース１の後部側に向けて移動させる。このときには、図１に示すように、第１制動部材１７は鍵盤蓋８にほとんど負荷を付与していないが、図８に示すように、第２制動部材１８の弾性突起部２５が楽器ケース１の傾斜溝部２６の傾斜面２６ａに接触する接触圧が高いので、鍵盤蓋８を移動させる際の移動力が重い。
【００３７】
このようにして、鍵盤蓋８が開く方向に移動する際には、図１および図３に示すように、前蓋８ａの取手部１１に設けられたガイド軸部１３が楽器ケース１の側板２に設けられたガイド溝部１２に沿ってガイドされながら移動すると共に、鍵盤蓋８の後蓋８ｂの取付板１４に設けられた連結軸２１の端部２１ａが楽器ケース１の側板２に設けられたガイドレール部２２のガイド溝２２ａに沿ってガイドされながら移動する。このときには、連結軸２１に回転可能に取り付けられたピニオンギア２４がガイドレール部２２に設けられたラックギア２３に噛み合って回転移動する。
【００３８】
そして、図３および図４に示すように、鍵盤蓋８が開く方向に移動すると、アーム部材１６が支持軸２０を中心に時計回りに回転し、第２制動部材１８の弾性突起部２５が傾斜溝部２６の傾斜面２６ａに沿って徐々に下がる方向つまり深い方向に移動するので、傾斜溝部２６の傾斜面２６ａに対する弾性突起部２５の接触圧が徐々に小さくなり、これにより鍵盤蓋８を移動させる際の移動力が徐々に軽くなる。
【００３９】
また、このように鍵盤蓋８が開いて、図３および図４に示すように、鍵盤蓋８の蝶番９がガイド支持部１５上に移動すると、鍵盤蓋８の前蓋８ａと後蓋８ｂとが蝶番９によって折れ曲がりながら移動し、この後蓋８ｂの後部が鍵盤部７の後方に移動する。これにより、アーム部材１６が支持軸２０を中心に時計回りにほぼ半分程度回転し、アーム部材１６に第１制動部材１７のばね力による負荷が付与されて、鍵盤蓋８の開動作に対する制動が開始される。このときには、第２制動部材１８の弾性突起部２５は、図７に示すように、傾斜溝部２６の深い位置に移動するので、傾斜溝部２６に対する弾性突起部２５の接触圧がほとんど生じることがない。
【００４０】
そして、鍵盤蓋８が更に開く方向に移動して楽器ケース１内に収納される際には、図２および図５に示すように、アーム部材１６が支持軸２０を中心に時計回りに更に回転し、このアーム部材１６の回転に伴って第１制動部材１７のばね力が徐々に増大する。すなわち、アーム部材１６が時計回りに回転すると、第１制動部材１７の他端部１７ｃがカバー部材１９の取付ビス１９ａに当接した状態で、一端部１７ｂがアーム部材１６によって押されるので、第１制動部材１７のコイル部１７ａが徐々に捻じれて圧縮される。これにより、コイル部１７ａのばね力が徐々に増大し、鍵盤蓋８の開く動作が制動される。
【００４１】
この状態で、鍵盤蓋８が楽器ケース１内に収納されて、図２および図５に示すように、鍵盤蓋８の前蓋８ａが天板６の下側に位置し、後蓋８ｂがほぼ垂直に起立した際には、第１制動部材１７のばね力による負荷がアーム部材１６に最も強く付与される。このため、第１制動部材１７のばね力が鍵盤蓋８を閉じる方向つまり鍵盤蓋８の後蓋８ｂを押し上げる方向に付勢されるので、鍵盤蓋８が勢いよく楽器ケース１内に収納されることがなく、鍵盤蓋８がゆっくり移動しながら楽器ケース１内に収納される。
【００４２】
一方、鍵盤蓋８を閉じる際には、図２および図５に示すように、第１制動部材１７のばね力によって鍵盤蓋８が閉じる方向、つまり鍵盤蓋８の後蓋８ｂが押し上げられる方向に付勢されているので、軽い力で鍵盤蓋８の前蓋８ａが引き出される。このときにも、図３および図４に示すように、前蓋８ａの取手部１１のガイド軸部１３が楽器ケース１の側板２のガイド溝部１２に沿ってガイドされながら移動する。
【００４３】
また、このときには、図３および図４に示すように、鍵盤蓋８の後蓋８ｂの取付板１４の連結軸２１の端部２１ａが楽器ケース１の側板２に設けられたガイドレール部２２のガイド溝２２ａに沿ってガイドされながら移動すると共に、連結軸２１に回転可能に取り付けられたピニオンギア２４がガイドレール部２２に設けられたラックギア２３に噛み合って回転移動する。これにより、アーム部材１６が鍵盤蓋８の後蓋８ｂの移動に伴って支持軸２０を中心に反時計回りに回転する。
【００４４】
このように、鍵盤蓋８が閉じる方向に移動して、図３および図４に示すように、前蓋８ａの前端部が鍵盤部７のほぼ中間部の上方に位置し、アーム部材１６がほぼ半分程度回転して中間部付近に位置すると、鍵盤蓋８の後蓋８ｂに対する第１制動部材１７のばね力による付勢力が徐々に低下して、ほとんどばね力による付勢力が後蓋８ｂに付与されなくなる。このときには、鍵盤蓋８の後蓋８ｂがガイドレール部２２の上部側に位置し、この状態で鍵盤蓋８の前蓋８ａのガイド軸部１３が、前下がりに傾斜したガイド溝部１２に沿って移動するので、鍵盤蓋８を軽い力で閉じる方向に移動させることができる。
【００４５】
そして、鍵盤蓋８が更に閉じる方向に移動すると、図３および図４に示すように、アーム部材１６の回転動作が第２制動部材１８によって制動される。すなわち、アーム部材１６に設けられた第２制動部材１８の弾性突起部２５が、楽器ケース１の側板２に設けられた第２制動部材１８の傾斜溝部２６内の傾斜面２６ａに沿って深い方向から浅い方向に向けて移動するので、傾斜溝部２６の傾斜面２６ａに対する弾性突起部２５の接触圧が徐々に増大し、鍵盤蓋８の閉動作が制動される。
【００４６】
これにより、鍵盤蓋８はその閉じる速度が遅くなり、鍵盤蓋８を閉じる力が徐々に重くなる。このため、図１に示すように、鍵盤蓋８が鍵盤部７上を完全に覆って閉じる際には、図８に示すように、第２制動部材１８の弾性突起部２５が傾斜溝部２６の傾斜面２６ａに最も強く弾接する。これにより、鍵盤蓋８が完全に閉じる際には、鍵盤蓋８の閉じる速度が最も遅くなると共に、鍵盤蓋８を閉じる力も最も重くなる。これにより、鍵盤蓋８が急激に閉じることがなく、安全に且つゆっくり閉じることができる。
【００４７】
このように、この鍵盤蓋８の開閉装置１０によれば、楽器ケース１に回転自在に取り付けられて鍵盤蓋８の開閉動作と共に回転するアーム部材１６と、鍵盤蓋８を開いて鍵盤部７を露出させる際に、鍵盤蓋８の後部が鍵盤部７の後方に移動した時点からアーム部材１６に負荷を付与して鍵盤蓋８の開動作を制動する第１制動部材１７と、鍵盤蓋８が鍵盤部７を覆って閉じる際に、鍵盤蓋８の前部が鍵盤部７の前部側に移動した時点からアーム部材１６に負荷を付与して鍵盤蓋８の閉動作を制動する第２制動部材１８とを備えているので、簡単な構造で、装置全体の低価格を図ることができると共に、鍵盤蓋８を安全に且つ良好に開閉することができる。
【００４８】
すなわち、この鍵盤蓋８の開閉装置１０では、鍵盤蓋８を開いて鍵盤部７を露出させる際に、第１制動部材１７によってアーム部材１６に負荷を付与して鍵盤蓋８を確実に且つ良好に制動することができ、また鍵盤蓋８が鍵盤部７を覆って閉じる際に、第２制動部材１８によってアーム部材１６に負荷を付与して鍵盤蓋８を確実に且つ良好に制動することができる。
【００４９】
このため、この鍵盤蓋８の開閉装置１０では、鍵盤蓋８を開く際、および鍵盤蓋８を閉じる際に、第１制動部材１７と第２制動部材１８とによる個別の制動部材によって、確実に且つ最適に鍵盤蓋８の開閉動作を制動することができ、これにより第１、第２の各制動部材１７、１８の構造が簡単で、装置全体の低価格を図ることができると共に、鍵盤蓋８を安全に且つ良好に開閉することができる。
【００５０】
この場合、第１制動部材１７は、鍵盤蓋８を開く際に鍵盤蓋８の後部が鍵盤部７の後方に移動した時点から、鍵盤蓋８を閉じる方向に向けてアーム部材１６にばね力である負荷を付勢する捻じりコイルばねであることにより、鍵盤蓋８を開いて楽器ケース１内に収納する際に、第１制動部材１７のばね力によって鍵盤蓋８が急激に開くことがなく、鍵盤蓋８をゆっくり楽器ケース１内に収納することができ、また鍵盤蓋８を閉じる際に、第１制動部材１７のばね力によって鍵盤蓋８を軽い力で引き出すことができ、これにより鍵盤蓋８の開閉操作性を向上させることができる。
【００５１】
すなわち、この第１制動部材１７は、捻じりコイルばねのコイル部１７ａがアーム部材１６を回転可能に支持する支持軸２０に巻き付けられ、このコイル部１７ａの一端部１７ｂがアーム部材１６に弾接し、他端部１７ｃが楽器ケース１に取り付けられたカバー部材１９の取付ビス１９ａに当接して固定された構成であるから、鍵盤蓋８を開いて楽器ケース１内に収納する際に、コイル部１７ａの捻じれによるばね力によって鍵盤蓋８を確実に且つ良好に制動することができ、また鍵盤蓋８を閉じる際にコイル部１７ａの捻じれに伴うばね復帰力によるばね力によって鍵盤蓋８が閉じる方向に付勢されているので、軽い力で鍵盤蓋８を閉じることができる。
【００５２】
また、この開閉装置１０では、第２制動部材１８が、鍵盤蓋８を閉じる際に鍵盤蓋８の前部を鍵盤部７の前部側に移動させた時点から、アーム部材１６の回転速度を減速させる抵抗部材であることにより、鍵盤蓋８が鍵盤部７を覆って閉じる際に、第２制動部材１８の抵抗力によって鍵盤蓋８の閉じる力を重くして、鍵盤蓋８の閉じる速度を遅くすることができ、これにより鍵盤蓋８が急激に閉じるのを防ぐことができるので、安全に且つ良好に鍵盤蓋８を閉じることができる。
【００５３】
この場合、第２制動部材１８は、アーム部材１６に設けられた弾性突起部２５と、この弾性突起部２５の移動軌跡に対応する楽器ケース１の側板２に設けられて鍵盤蓋８の開状態側から鍵盤蓋８の閉状態側に向けて弾性突起部２５の接触圧を徐々に高くする傾斜溝部２６とを有していることにより、鍵盤蓋８を閉じる際に、確実に且つ良好に摩擦抵抗を付与することができる。
【００５４】
すなわち、この第２制動部材１８は、鍵盤蓋８が鍵盤部７上を覆って閉じる際に、傾斜溝部２６の傾斜面２６ａに対する弾性突起部２５の接触圧が徐々に高くなるので、鍵盤蓋８の閉じる力を徐々に重くして、鍵盤蓋８の閉じる速度を遅くすることができ、これにより鍵盤蓋８が急激に閉じるのを確実に防ぐことができるので、安全に且つ良好に鍵盤蓋８を閉じることができる。
【００５５】
また、この開閉装置１０では、鍵盤蓋８が前蓋８ａと後蓋８ｂとを有し、この前蓋８ａと後蓋８ｂとが蝶番９によって折り曲げ可能に連結され、鍵盤蓋８が鍵盤部７を覆って閉じた状態のときに前蓋８ａと後蓋８ｂとが平板状に配列され、また鍵盤蓋８が鍵盤部７の上方を移動して開いた際に後蓋８ｂが蝶番９によって前蓋８ａに対し折れ曲がりながら楽器ケース１内に収納されるので、鍵盤蓋８を楽器ケース１内に効率良く且つコンパクトに収納することができ、これにより楽器全体の小型化を図ることができる。
【００５６】
さらに、この開閉装置１０では、鍵盤蓋８とアーム部材１６とを回転自在に連結する連結軸２１と、楽器ケース１に設けられて鍵盤蓋８の開閉動作に応じて連結軸２１をガイドするガイドレール部２２とを備えているので、開閉蓋８を開閉する際に、鍵盤蓋８が横振れすることなく、鍵盤蓋８を円滑に且つ良好にガイドすることができ、これにより鍵盤蓋８を安定した状態で開閉することができるので、鍵盤蓋８の開閉操作性を向上させることができる。
【００５７】
また、この開閉装置１０では、鍵盤蓋８とアーム部材１６とを連結する連結軸２１に回転自在に取り付けられたピニオンギア２４と、ガイドレール部２２に設けられてピニオンギア２４が噛み合って回転移動するラックギア２３とを備えているので、開閉蓋８を開閉する際に、連結軸２１がガイドレール部２２に対して滑りを生じることがなく、ピニオンギア２４をラックギア２３に噛み合せて回転移動させることができ、これにより、より一層、安定した状態で円滑に且つ良好に開閉蓋８を開閉させることができる。
【００５８】
（第２実施形態）
次に、図１０〜図１２を参照して、この発明を鍵盤楽器に適用した第２実施形態について説明する。なお、図１〜図９に示された第１実施形態と同一部分には同一符号を付して説明する。
この鍵盤楽器における鍵盤蓋８の開閉装置３０は、図１０〜図１２に示すように、第２制動部材３１が第１実施形態と異なる構成であり、これ以外は第１実施形態とほぼ同じ構成になっている。
【００５９】
すなわち、この第２制動部材３１は、第１実施形態と同様、鍵盤蓋８が鍵盤部７を覆って閉じる際に、鍵盤蓋８の前蓋８ａの前部が鍵盤部７の前部側に移動した時点、つまりアーム部材１６がほぼ半分程度回転して中間部付近に位置した時点から、アーム部材１６の回転速度を減速させる抵抗部材である。この抵抗部材である第２制動部材３１は、アーム部材１６に設けられたゴムなどの弾性材料からなる弾性突起部３２と、この弾性突起部３２の移動軌跡に対応する箇所に位置する楽器ケース１の側板２の内面に設けられて弾性突起部３２が弾力的に順次乗り越える複数の制動突起部３３とを有している。
【００６０】
この場合、楽器ケース１の側板２の内面には、図１０〜図１２に示すように、アーム部材１６の支持軸２０を中心とする円弧状に湾曲した溝部３４が形成されている。この溝部３４は、鍵盤蓋８が開いてアーム部材１６が最も下側に位置した状態のときに弾性突起部３２が位置する箇所から、鍵盤蓋８が閉じてアーム部材１６が最も上側に位置した状態のときに弾性突起部３２が位置する箇所までに亘って、半円弧状に形成されている。
【００６１】
この溝部３４の内部には、図１０に示すように、鍵盤蓋８が閉じてアーム部材１６が最も上側に位置した状態のときに弾性突起部３２が位置する箇所から、鍵盤蓋８の前蓋８ａが開いて後蓋８ｂが楽器ケース１内に移動してアーム部材１６がほぼ半分程度回転した中間位置付近状態のときに弾性突起部３２が位置する箇所までの間の領域に、複数の制動突起部３３が支持軸２０を中心とする放射線状に形成されている。
【００６２】
この場合、溝部３４内に複数の制動突起部３３が設けられていない領域、つまり溝部３４内におけるアーム部材１６がほぼ半分程度回転した中間位置付近状態のときに弾性突起部３２が位置する箇所から、アーム部材１６が最も下側に位置した状態のときに弾性突起部３２が位置する箇所までの間の領域は、図１０に示すように、平坦面に形成されている。このため、この平坦面の領域には、制動突起部３３が設けられていない。
【００６３】
これにより、第２制動部材３１は、図１０〜図１２に示すように、鍵盤蓋８を閉じる際に鍵盤蓋８の前蓋８ａの前部が鍵盤部７のほぼ中間部の上方に移動した時点、つまりアーム部材１６がほぼ半分程度回転して中間部付近に位置した時点から、弾性突起部３２が最初に制動突起部３３を乗り越える抵抗力による負荷をアーム部材１６に付与して、鍵盤蓋８の閉動作に対する制動を開始するように構成されている。
【００６４】
また、この第２制動部材３１は、図１に示したように、鍵盤蓋８が鍵盤部７を覆って閉じる際に、鍵盤蓋８の前蓋８ａが鍵盤部７の前端部に位置した状態のときに、弾性突起部３２が複数の制動突起部３３を順次乗り越えることによるそれぞれの抵抗力による負荷をアーム部材１６に繰り返して付与し、これにより鍵盤蓋８の閉動作を制動するように構成されている。
【００６５】
このような鍵盤蓋８の開閉装置３０によれば、第１実施形態と同様、鍵盤蓋８を開いて鍵盤部７を露出させる際に、第１制動部材１７によってアーム部材１６に負荷を付与して鍵盤蓋８を確実に且つ良好に制動することができ、また鍵盤蓋８が鍵盤部７を覆って閉じる際に、第２制動部材３１によってアーム部材１６に負荷を付与して鍵盤蓋８を確実に且つ良好に制動することができる。
【００６６】
このため、この鍵盤蓋８の開閉装置３０においても、第１実施形態と同様、鍵盤蓋８を開く際、および鍵盤蓋８を閉じる際に、第１制動部材１７と第２制動部材３１とによる個別の制動部材によって、確実に且つ最適に鍵盤蓋８の開閉動作を制動することができ、これにより第１、第２の各制動部材１７、３１の構造が簡単で、装置全体の低価格を図ることができると共に、鍵盤蓋８を安全に且つ良好に開閉することができる。
【００６７】
この場合、第２制動部材３１は、鍵盤蓋８が鍵盤部７を覆って閉じる際に、鍵盤蓋８の前部が鍵盤部７の前部側に移動した時点から、アーム部材１６の回転速度を減速させる抵抗部材であることにより、鍵盤蓋８が鍵盤部７を覆って閉じる際に、第２制動部材３１の抵抗力によって鍵盤蓋８の閉じる力を重くして、鍵盤蓋８の閉じる速度を遅くすることができ、これにより鍵盤蓋８が急激に閉じるのを確実に防ぐことができるので、安全に且つ良好に鍵盤蓋８を閉じることができる。
【００６８】
すなわち、この第２制動部材３１は、アーム部材１６に設けられた弾性突起部３２と、この弾性突起部３２の移動軌跡に対応する箇所に位置する楽器ケース１の側板２に設けられて弾性突起部３２が弾力的に順次乗り越える複数の制動突起部３３とを有していることにより、鍵盤蓋８が鍵盤部７上を覆って閉じる際に、弾性突起部３２が複数の制動突起部３３を弾力的に順次乗り越えることによる抵抗力を繰り返し鍵盤蓋８に付与して、鍵盤蓋８の閉じる速度を遅くすることができ、これにより鍵盤蓋８が急激に閉じるのを確実に防ぐことができるので、安全に且つ良好に鍵盤蓋８を閉じることができる。
【００６９】
なお、上述した第１、第２の各実施形態では、第２制動部材１８、３１の弾性突起部２５、３２がゴムなどの弾性材料で形成されている場合について述べたが、これに限らず、例えば図１３に示す変形例のように弾性突起部３６を構成しても良い。すなわち、この変形例の弾性突起部３６は、アーム部材１６に設けられたばね部材３７と、このばね部材３７に取り付けられたキャップ部３８とを備えた構成である。
【００７０】
このように弾性突起部３６を構成すれば、ばね部材３７のばね力によってキャップ部３８を傾斜溝部２６または制動突起部３３に弾力的に押し付ける際に、ばね部材３７のばね力を調整することにより、キャップ部３８の接触圧を最適な状態に調整することができるので、上述した第１、第２の各実施形態よりも、良好に鍵盤蓋８の開閉動作を制動することができる。
【００７１】
また、上述した第１、第２の各実施形態およびその変形例では、第２制動部材１８、３１が、アーム部材１６に設けられた弾性突起部２５、３２、３６と、楽器ケース１の側板２に設けられた傾斜溝部２６または複数の制動突起部３３とを備えた構成である場合について述べたが、これに限らず、例えばアーム部材１６に弾性変形しない突起部を設け、この突起部の移動軌跡上に対応する箇所に位置する楽器ケース１の側板２に板ばねを設け、この板ばねのばね力によってアーム部材１６の突起部に対する接触圧をアーム部材１６の回転動作に応じて変化させるように構成しても良い。
【００７２】
（第３実施形態）
次に、図１４および図１５を参照して、この発明を鍵盤楽器に適用した第３実施形態について説明する。この場合にも、図１〜図９に示された第１実施形態と同一部分に同一符号を付して説明する。
この鍵盤楽器における鍵盤蓋８の開閉装置４０は、図１４および図１５に示すように、第２制動部材４１が第１実施形態と異なる構成であり、これ以外は第１実施形態とほぼ同じ構成になっている。
【００７３】
この第２制動部材４１は、図１４に示すように、鍵盤蓋８を閉じる際に前蓋８ａの前部が鍵盤部７の前部側に移動した状態のときに、鍵盤蓋８を開く方向に向けてアーム部材１６を付勢する付勢部材である。この付勢部材である第２制動部材４１は、鍵盤蓋８の前蓋８ａの前部が鍵盤部７の前部側に移動した状態のときに、鍵盤蓋８を開く方向に向けてアーム部材１６の先端部に設けられた連結軸２１を弾力的に付勢するコイルばねであり、ガイドレール部２２のガイド溝２２ａ内に配置されている。
【００７４】
すなわち、この第２制動部材４１は、図１４および図１５に示すように、ガイドレール部２２のガイド溝２２ａ内における上端部側に位置する箇所に配置されている。これにより、第２制動部材４１は、鍵盤蓋８が鍵盤部７を覆って閉じる際に、アーム部材１６の連結軸２１が弾接してコイルばねを徐々に圧縮させ、この圧縮されたコイルばねのばね力による負荷をアーム部材１６に付与することにより、アーム部材１６の反時計回り方向の回転力を徐々に重くして、アーム部材１６の反時計回り方向の回転速度を遅くするように構成されている。
【００７５】
また、この第２制動部材４１は、図１４および図１５に示すように、鍵盤蓋８が鍵盤部７を覆って閉じた状態から開く際に、圧縮されたコイルばねのばね復帰力によるばね力によって、アーム部材１６の連結軸２１を鍵盤蓋８の開く方向に向けて付勢し、アーム部材１６が支持軸２０を中心に時計回り方向に付勢することにより、軽い力で鍵盤蓋８を開く方向に移動させるように構成されている。
【００７６】
このような鍵盤蓋８の開閉装置４０によれば、第１実施形態と同様、鍵盤蓋８を開いて鍵盤部７を露出させる際に、第１制動部材１７によってアーム部材１６に負荷を付与して鍵盤蓋８を確実に且つ良好に制動することができ、また鍵盤蓋８が鍵盤部７を覆って閉じる際に、第２制動部材４１によってアーム部材１６に負荷を付与して鍵盤蓋８を確実に且つ良好に制動することができる。
【００７７】
このため、この鍵盤蓋８の開閉装置４０においても、第１実施形態と同様、鍵盤蓋８を開く際、および鍵盤蓋８を閉じる際に、第１制動部材１７と第２制動部材４１とによる個別の制動部材によって、確実に且つ最適に鍵盤蓋８の開閉動作を制動することができ、これにより第１、第２の各制動部材１７、４１の構造が簡単で、装置全体の低価格を図ることができると共に、鍵盤蓋８を安全に且つ良好に開閉することができる。
【００７８】
この場合、第２制動部材４１は、鍵盤蓋８の前部を鍵盤部７の前部側に移動させた状態のときに、鍵盤蓋８を開く方向に向けてアーム部材１６を付勢する付勢部材であることにより、鍵盤蓋８が鍵盤部７を覆って閉じる際に、第２制動部材４１の付勢力によって鍵盤蓋８の閉じる力を重くして、鍵盤蓋８が閉じる速度を遅くすることができ、これにより鍵盤蓋８が急激に閉じるのを防ぐことができるので、安全に且つ良好に鍵盤蓋８を閉じることができる。
【００７９】
すなわち、この第２制動部材４１は、鍵盤蓋８の前蓋８ａの前部が鍵盤部７の前部側に移動した状態のときに、鍵盤蓋８を開く方向に向けてアーム部材１６の先端部の連結軸２１を弾力的に付勢するコイルばねであることにより、鍵盤蓋８が鍵盤部７を覆って閉じる際に、アーム部材１６の連結軸２１が弾接してコイルばねを徐々に圧縮させ、この圧縮されるコイルばねのばね力による負荷をアーム部材１６に弾力的に付与することができ、これによりアーム部材１６の回転力を徐々に重くして、アーム部材１６の回転速度を遅くすることができる。
【００８０】
また、この第２制動部材４１では、鍵盤蓋８が鍵盤部７を覆って閉じた状態から開く際に、圧縮されたコイルばねのばね復帰力によるばね力によってアーム部材１６の連結軸２１を鍵盤蓋８の開く方向に向けて付勢することができるので、支持軸２０を中心に軽い力でアーム部材１６を時計回り方向に回転させることができると共に、軽い力で鍵盤蓋８を開く方向に移動させることができ、これにより鍵盤蓋８を開く方向に円滑に且つ良好に移動させることができるので、鍵盤蓋８の開閉操作性を向上させることができる。
【００８１】
なお、上述した第３実施形態では、第２制動部材４１としてコイルばねを用いた場合について述べたが、これに限らず、例えば鍵盤蓋８が鍵盤部７を覆って閉じる際に、アーム部材１６の連結軸２１が位置する箇所におけるガイドレール部２２のガイド溝２２ａ内にゴムやエラストマーあるいはスポンジなどの弾性部材を配置した構成であっても良い。このように第２制動部材４１を弾性部材で構成しても、上述した第３実施形態とほぼ同様の作用効果がある。
【００８２】
（第４実施形態）
次に、図１６および図１７を参照して、この発明を鍵盤楽器に適用した第４実施形態について説明する。この場合にも、図１〜図９に示された第１実施形態と同一部分に同一符号を付して説明する。
この鍵盤楽器における鍵盤蓋８の開閉装置５０は、図１６および図１７に示すように、第２制動部材５１が第１実施形態と異なる構成であり、これ以外は第１実施形態とほぼ同じ構成になっている。
【００８３】
この第２制動部材５１は、図１６および図１７に示すように、鍵盤蓋８を閉じる際に前蓋８ａの前部が鍵盤部７の前部側に移動した時点から、鍵盤蓋８を開く方向に向けてアーム部材１６を付勢する付勢部材である。この付勢部材である第２制動部材５１は、鍵盤蓋８の前蓋８ａの前部が鍵盤部７の前部側に移動した状態のときに、鍵盤蓋８を開く方向に向けてアーム部材１６を弾力的に回転させる捻じりコイルばねである。
【００８４】
すなわち、この第２制動部材５１は、図１６および図１７に示すように、楽器ケース１の側板２に設けられたカバー部材１９に取り付けられた取付柱５２に巻き付けられたコイル部５３を備え、このコイル部５３の一端部５３ａがアーム部材１６に弾接し、コイル部５３の他端部５３ｂがカバー部材１９に当接して固定されていることにより、支持軸２０を中心にアーム部材１６を時計回り方向に付勢するように構成されている。
【００８５】
これにより、第２制動部材５１は、図１６および図１７に示すように、鍵盤蓋８が鍵盤部７を覆って閉じる際に、コイル部５３がアーム部材１６の回転に伴って徐々に捻じれて圧縮され、このコイル部５３の捻じれによるばね力の負荷をアーム部材１６に付与することにより、アーム部材１６の反時計回り方向（つまり鍵盤蓋８が閉じる方向）の回転力を徐々に重くして、アーム部材１６の反時計回り方向の回転速度を遅くするように構成されている。
【００８６】
また、この第２制動部材５１は、図１６および図１７に示すように、鍵盤蓋８が鍵盤部７を覆って閉じた状態から開く際に、捻じれて圧縮されたコイル部５３のばね復帰力によるばね力によって、鍵盤蓋８の開く方向に向けてアーム部材１６を付勢し、支持軸２０を中心にアーム部材１６を時計回り方向に付勢することにより、軽い力で鍵盤蓋８を開く方向に移動させるように構成されている。
【００８７】
このような鍵盤蓋８の開閉装置５０によれば、第１実施形態と同様、鍵盤蓋８を開いて鍵盤部７を露出させる際に、第１制動部材１７によってアーム部材１６に負荷を付与して鍵盤蓋８を確実に且つ良好に制動することができ、また鍵盤蓋８が鍵盤部７を覆って閉じる際に、第２制動部材５１によってアーム部材１６に負荷を付与して鍵盤蓋８を確実に且つ良好に制動することができる。
【００８８】
このため、この鍵盤蓋８の開閉装置５０においても、第１実施形態と同様、鍵盤蓋８を開く際、および鍵盤蓋８を閉じる際に、第１制動部材１７と第２制動部材５１とによる個別の制動部材によって、確実に且つ最適に鍵盤蓋８の開閉動作を制動することができ、これにより第１、第２の各制動部材１７、５１の構造が簡単で、装置全体の低価格を図ることができると共に、鍵盤蓋８を安全に且つ良好に開閉することができる。
【００８９】
この場合、第２制動部材５１は、鍵盤蓋８の前部を鍵盤部７の前部側に移動させた状態のときに、鍵盤蓋８を開く方向に向けてアーム部材１６を付勢する付勢部材であることにより、鍵盤蓋８が鍵盤部７を覆って閉じる際に、第２制動部材５１の付勢力によって鍵盤蓋８の閉じる力を重くして、鍵盤蓋８が閉じる速度を遅くすることができ、これにより鍵盤蓋８が急激に閉じるのを確実に防ぐことができるので、安全に且つ良好に鍵盤蓋８を閉じることができる。
【００９０】
すなわち、この第２制動部材５１は、鍵盤蓋８の前蓋８ａの前部が鍵盤部７の前部側に移動した状態のときに、鍵盤蓋８を開く方向に向けてアーム部材１６を弾力的に付勢する捻じりコイルばねであることにより、鍵盤蓋８が鍵盤部７を覆って閉じる際に、アーム部材１６の回転に伴ってコイル部５３が徐々に捻じれて圧縮され、この圧縮されるコイル部５３のばね力による負荷をアーム部材１６に付与することができ、これによりアーム部材１６の回転力を徐々に重くして鍵盤蓋８の閉動作を重くすることができると共に、アーム部材１６の回転速度を遅くて鍵盤蓋８の閉動作を遅くすることができる。
【００９１】
また、この第２制動部材５１では、鍵盤蓋８が鍵盤部７を覆って閉じた状態から開く際に、捻じれて圧縮されたコイル部５３のばね復帰力によるばね力によって、アーム部材１６を鍵盤蓋８の開く方向に向けて付勢することができるので、支持軸２０を中心にアーム部材１６が時計回り方向に回転して鍵盤蓋８が開く際に、軽い力で鍵盤蓋８を開く方向に移動させることができ、これにより鍵盤蓋８を円滑に且つ良好に開くことができるので、鍵盤蓋８の開閉操作性を向上させることができる。
【００９２】
なお、上述した第４実施形態では、第２制動部材５１として捻じりコイルばねを用いた場合について述べたが、これに限らず、例えば一端がアーム部材１６に弾接し、他端がカバー部材１９に固定され、鍵盤蓋８が鍵盤部７を覆って閉じる際に、アーム部材１６を時計回り方向に付勢する板ばねであっても良い。このように第２制動部材として板ばねを用いても、上述した第４実施形態とほぼ同様の作用効果がある。
【００９３】
また、上述した第１〜第４実施形態およびその各変形例では、鍵盤蓋８が前蓋８ａと後蓋８ｂとを備え、この前蓋８ａと後蓋８ｂとを蝶番９で折り曲がり可能に連結した構成である場合について述べたが、これに限らず、３枚以上の蓋部に分割してそれぞれ蝶番９で折り曲がり可能に連結した構成の鍵盤蓋であっても良く、また１枚の板で鍵盤蓋を形成した構成であっても良い。
【００９４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９５】
（付記）
請求項１に記載の発明は、鍵盤部を備えた楽器ケースに取り付けられて前記鍵盤部を開閉自在に覆う鍵盤蓋の開閉装置において、前記楽器ケースに回転可能に取り付けられて前記鍵盤蓋の開閉動作と共に回転するアーム部材と、前記鍵盤蓋を開いて前記鍵盤部を露出させる際に、前記鍵盤蓋の後部が前記鍵盤部の後方に移動した時点から前記アーム部材に負荷を付与して前記鍵盤蓋の開動作を制動する第１制動部材と、前記鍵盤蓋が前記鍵盤部を覆って閉じる際に、前記鍵盤蓋の前部が前記鍵盤部の前部側に移動した時点から前記アーム部材に負荷を付与して前記鍵盤蓋の閉動作を制動する第２制動部材とを備えていることを特徴とする鍵盤蓋の開閉装置である。
【００９６】
請求項２に記載の発明は、請求項１に記載の鍵盤蓋の開閉装置において、前記第１制動部材は、前記鍵盤蓋を開く際に前記鍵盤蓋の後部が前記鍵盤部の後方に移動した時点から、前記鍵盤蓋を閉じる方向に向けて前記アーム部材を付勢するばね部材であることを特徴とする鍵盤蓋の開閉装置である。
【００９７】
請求項３に記載の発明は、請求項１または請求項２に記載の鍵盤蓋の開閉装置において、前記第２制動部材は、前記鍵盤蓋を閉じる際に前記鍵盤蓋の前部が前記鍵盤部の前部側に移動した時点から、前記アーム部材の回転速度を減速させる抵抗部材であることを特徴とする鍵盤蓋の開閉装置である。
【００９８】
請求項４に記載の発明は、請求項３に記載の鍵盤蓋の開閉装置において、前記抵抗部材である前記第２制動部材は、前記アーム部材に設けられた弾性突起部と、この弾性突起部の移動軌跡に対応する箇所に位置する前記楽器ケースに設けられて前記鍵盤蓋の開状態側から前記鍵盤蓋の閉状態側に向けて前記弾性突起部に対する接触圧を次第に高くする傾斜部とを有していることを特徴とする鍵盤蓋の開閉装置である。
【００９９】
請求項５に記載の発明は、請求項３に記載の鍵盤蓋の開閉装置において、前記抵抗部材である前記第２制動部材は、前記アーム部材に設けられた弾性突起部と、この弾性突起部の移動軌跡に対応する箇所に位置する前記楽器ケースに設けられて前記弾性突起部が弾力的に順次乗り越える複数の制動突起部とを有していることを特徴とする鍵盤蓋の開閉装置である。
【０１００】
請求項６に記載の発明は、請求項１または請求項２に記載の鍵盤蓋の開閉装置において、前記第２制動部材は、前記鍵盤蓋を閉じる際に前記鍵盤蓋の前部が前記鍵盤部の前部側に移動した時点から、前記鍵盤蓋を開く方向に向けて前記アーム部材を付勢する付勢部材であることを特徴とする鍵盤蓋の開閉装置である。
【０１０１】
請求項７に記載の発明は、請求項６に記載の鍵盤蓋の開閉装置において、前記付勢部材である前記第２制動部材は、前記鍵盤蓋の前部が前記鍵盤部の前部側に移動した状態のときに、前記鍵盤蓋を開く方向に向けて前記アーム部材を弾力的に付勢する弾性部材であることを特徴とする鍵盤蓋の開閉装置である。
【０１０２】
請求項８に記載の発明は、請求項６に記載の鍵盤蓋の開閉装置において、前記付勢部材である前記第２制動部材は、一端部が前記楽器ケースに対して固定され、他端部が前記アーム部材に弾接し、前記鍵盤蓋の前部が前記鍵盤部の前部側に移動した状態のときに、前記鍵盤蓋を開く方向に向けて前記アーム部材を弾力的に付勢するばね部材であることを特徴とする鍵盤蓋の開閉装置である。
【０１０３】
請求項９に記載の発明は、請求項１〜請求項８のいずれかに記載の鍵盤蓋の開閉装置において、前記鍵盤蓋は、複数の蓋部が折れ曲がり可能に連結され、前記鍵盤部を覆って閉じた状態のときに前記複数の蓋部が平板状に配列され、前記鍵盤部の上方を移動して開く際に前記複数の蓋部が折れ曲がりながら前記楽器ケース内に収納されることを特徴とする鍵盤蓋の開閉装置である。
【０１０４】
請求項１０に記載の発明は、請求項１〜請求項９のいずれかに記載の鍵盤蓋の開閉装置において、前記鍵盤蓋と前記アーム部材とを回転自在に連結する連結軸と、前記楽器ケースに設けられて前記鍵盤蓋の開閉動作に応じて前記連結軸をガイドするガイドレール部とを備えていることを特徴とする鍵盤蓋の開閉装置である。
【０１０５】
請求項１１に記載の発明は、請求項１０に記載の鍵盤蓋の開閉装置において、前記連結軸に回転自在に取り付けられたピニオンギアと、前記ガイドレール部に設けられて前記ピニオンギアが噛み合って回転移動するラックギアとを備えていることを特徴とする鍵盤蓋の開閉装置である。
【符号の説明】
【０１０６】
１  楽器ケース
７  鍵盤部
８  鍵盤蓋
８ａ  前蓋
８ｂ  後蓋
９  蝶番
１０、３０、４０、５０  開閉装置
１６  アーム部材
１７  第１制動部材
１７ａ  コイル部
１７ｂ  コイル部の一端部
１７ｃ  コイル部の他端部
１８、３１、４１、５１  第２制動部材
２０  支持軸
２１  連結軸
２２  ガイドレール部
２２ａ  ガイド溝
２３  ラックギア
２４  ピニオンギア
２５、３２、３６  弾性突起部
２６  傾斜溝部
２６ａ  傾斜面
３３  制動突起部
５３  コイル部
５３ａ  コイル部の一端部
５３ｂ  コイル部の他端部
【図１】
0006020788.tif 000002
【図２】
0006020788.tif 000003
【図３】
0006020788.tif 000004
【図４】
0006020788.tif 000005
【図５】
0006020788.tif 000006
【図６】
0006020788.tif 000007
【図７】
0006020788.tif 000008
【図８】
0006020788.tif 000009
【図９】
0006020788.tif 000010
【図１０】
0006020788.tif 000011
【図１１】
0006020788.tif 000012
【図１２】
0006020788.tif 000013
【図１３】
0006020788.tif 000014
【図１４】
0006020788.tif 000015
【図１５】
0006020788.tif 000016
【図１６】
0006020788.tif 000017
【図１７】
0006020788.tif 000018